(57)【要約】【課題】無線機の音質評価のための調整作業を容易にすること。【解決手段】本発明にかかる音質調整システムは、半二重通信を行う第１及び第２の無線端末と、設定に基づいて無線信号の周波数特性の調整を行う中継イコライザを有し、第１及び第２の無線端末の間で無線信号を中継する無線中継器と、無線中継器と通信回線を介して接続された管理装置と、を備え、第１及び第２の無線端末のそれぞれは、自己のイコライザの設定をオフとし、管理装置は、周波数特性の第１の設定情報を、通信回線を介して無線中継器へ送信し、無線中継器は、管理装置から受信した第１の設定情報を中継イコライザの設定に反映し、第１の無線端末は、第２の無線端末宛の第１の無線信号を無線中継器へ送信し、無線中継器は、中継イコライザにおいて、受信した第１の無線信号の周波数特性を設定に基づいて調整し、調整後の第１の無線信号を第２の無線端末へ送信する。【選択図】図１
2018182438.tif 000002
【特許請求の範囲】
【請求項１】
半二重通信を行う第１の無線端末から無線信号を受信する受信部と、
設定に基づいて前記無線信号の周波数特性の調整を行う中継イコライザと、
通信回線を介して受信した前記周波数特性の設定情報を前記中継イコライザの設定に反映する設定反映部と、
前記調整後の無線信号を、半二重通信を行う第２の無線端末へ送信する送信部と、
を備える無線中継器。
【請求項２】
前記送信部は、前記通信回線を介して受信した指示に応じて、前記設定情報を前記第１の無線端末及び前記第２の無線端末へ送信する
請求項１に記載の無線中継器。
【請求項３】
前記無線信号を受信した際に、前記第１の無線端末及び前記第２の無線端末が特定のグループに属するか否かを判定する判定部をさらに備え、
前記中継イコライザは、前記特定のグループに属すると判定された場合に前記調整を行う
請求項１又は２に記載の無線中継器。
【請求項４】
前記無線信号を受信した際に、前記第１の無線端末及び前記第２の無線端末が特定のグループに属するか否かを判定する判定部をさらに備え、
前記設定反映部は、前記特定のグループに属すると判定された場合に前記中継イコライザに前記調整された結果を反映する
請求項１に記載の無線中継器。
【請求項５】
半二重通信を行う第１及び第２の無線端末と、
設定に基づいて無線信号の周波数特性の調整を行う中継イコライザを有し、前記第１及び第２の無線端末の間で無線信号を中継する無線中継器と、
前記無線中継器と通信回線を介して接続された管理装置と、を備え、
前記第１及び第２の無線端末のそれぞれは、自己のイコライザの設定をオフとし、
前記管理装置は、前記周波数特性の第１の設定情報を、前記通信回線を介して前記無線中継器へ送信し、
前記無線中継器は、前記管理装置から受信した前記第１の設定情報を前記中継イコライザの設定に反映し、
前記第１の無線端末は、前記第２の無線端末宛の第１の無線信号を前記無線中継器へ送信し、
前記無線中継器は、
前記中継イコライザにおいて、受信した前記第１の無線信号の周波数特性を前記設定に基づいて調整し、
前記調整後の第１の無線信号を前記第２の無線端末へ送信する
音質調整システム。
【請求項６】
前記管理装置は、
前記第２の無線端末における前記第１の無線信号の出力に応じた評価を受け付け、
前記評価に応じて前記第１の設定情報を修正して第２の設定情報を生成し、
前記第２の設定情報を前記通信回線を介して前記無線中継器へ送信する
請求項５に記載の音質調整システム。
【請求項７】
前記第２の無線端末は、
前記第１の無線信号の出力に応じた評価をユーザから受け付け、
前記評価を第２の無線信号として前記無線中継器へ送信し、
前記無線中継器は、
受信した前記第２の無線信号を前記通信回線を介して前記管理装置へ送信する
請求項６に記載の音質調整システム。
【請求項８】
前記管理装置は、前記イコライザの設定のための第３の設定情報を、前記通信回線を介して前記無線中継器へ送信し、
前記無線中継器は、前記管理装置から受信した前記第３の設定情報を、前記第１の無線端末及び前記第２の無線端末へ転送し、
前記第１の無線端末及び前記第２の無線端末のそれぞれは、前記無線中継器から受信した前記第３の設定情報を、前記イコライザの設定に反映する
請求項５乃至７のいずれか１項に記載の音質調整システム。
【請求項９】
前記無線中継器は、
前記第１の無線信号を受信した際に、前記第１の無線端末及び前記第２の無線端末が特定のグループに属するか否かを判定する判定部をさらに備え、
前記特定のグループに属すると判定された場合に前記中継イコライザにより前記調整を行う
請求項５乃至８のいずれか１項に記載の音質調整システム。
【請求項１０】
イコライザを有し、半二重通信を行う第１及び第２の無線端末のそれぞれにおいて、自己の前記イコライザの設定をオフとするステップと、
設定に基づいて前記無線信号の周波数特性の調整を行う中継イコライザを有し、前記第１及び第２の無線端末の間で無線信号を中継する無線中継器と通信回線を介して接続された管理装置において、無線信号の周波数特性の第１の設定情報を、前記通信回線を介して前記無線中継器へ送信するステップと、
前記無線中継器において、前記管理装置から受信した前記第１の設定情報を前記中継イコライザの設定に反映するステップと、
前記第１の無線端末において、前記第２の無線端末宛の第１の無線信号を前記無線中継器へ送信するステップと、
前記無線中継器において、
前記中継イコライザにおいて、受信した前記第１の無線信号の周波数特性を前記設定に基づいて調整するステップと、
前記調整後の第１の無線信号を前記第２の無線端末へ送信するステップと
を有する音質調整方法。
【発明の詳細な説明】
【技術分野】
【０００１】
本発明は、無線中継器、音質調整システム及び音質調整方法に関する。
【背景技術】
【０００２】
半二重通信方式の無線機では、端末から出力される音声をユーザが聞き取り易くするために、端末内のイコライザにより音声出力前に音質補正を行う。但し、音質補正における適切な補正値は、無線機を使用する現地ユーザの言語等によって異なる。そのため、適切な補正値を導き出すために、エンジニアは端末が設置された現地に赴き、実際にユーザ間の無線通話を試行してもらう中で、補正値を調整し、ユーザのフィードバックを受けることにより最適な補正値を模索するという作業が必要となる。
【０００３】
ここで、特許文献１には、タブレット端末からテレビジョン表示装置のイコライザのパラメータを設定する技術が開示されている。特許文献１では、タブレット端末がテレビジョン表示装置の出力音声を録音し、録音データとその解析要求をサーバへ送信する。サーバは、録音データを解析してイコライザのパラメータを作成し、作成したパラメータをタブレット端末へ送信する。タブレット端末は、受信したパラメータをテレビジョン表示装置へ送信する。テレビジョン表示装置は、受信したパラメータをイコライザに設定する。
【先行技術文献】
【特許文献】
【０００４】
【特許文献１】特開２０１３−１３５３２０号公報
【発明の概要】
【発明が解決しようとする課題】
【０００５】
特許文献１では、音声出力の端末に相当するテレビジョン表示装置のイコライザのパラメータを設定変更している。仮に上述した半二重通信方式の無線機における音質補正の調整作業に、特許文献１を適用した場合、複数の端末の全てに対して設定変更をしつつ、調整を繰り返す必要があり、設定変更に相応の時間を要する。特に、端末の台数が多いほど顕著となる。
【０００６】
また、特許文献１では、所望の周波数特性を予め把握している前提で、周波数特性の調整を自動的に行うものである。しかしながら、適切な音質補正のパラメータは、無線機を使用する現地ユーザの言語等によって異なるため、予め把握することは困難である。そのため、ユーザが実際に聴いた上でその評価を基に適切なパラメータを決定する必要がある。よって、上述した半二重通信方式の無線機における音質補正の調整作業に、特許文献１を適用することは困難である。
【０００７】
本発明は、上述の課題に鑑みてなされたものであり、無線機の音質評価のための調整作業を容易にし、現地ユーザの言語等によって異なる音質補正をした通信を行うための無線中継器、音質調整システム及び音質調整方法を提供することを目的とする。
【課題を解決するための手段】
【０００８】
本発明の第１の態様は、半二重通信を行う第１の無線端末から無線信号を受信する受信部と、設定に基づいて前記無線信号の周波数特性の調整を行う中継イコライザと、通信回線を介して受信した前記周波数特性の設定情報を前記中継イコライザの設定に反映する設定反映部と、前記調整後の無線信号を、半二重通信を行う第２の無線端末へ送信する送信部と、を備える無線中継器を提供する。
【０００９】
本発明の第２の態様は、半二重通信を行う第１及び第２の無線端末と、設定に基づいて無線信号の周波数特性の調整を行う中継イコライザを有し、前記第１及び第２の無線端末の間で無線信号を中継する無線中継器と、前記無線中継器と通信回線を介して接続された管理装置と、を備え、前記第１及び第２の無線端末のそれぞれは、自己のイコライザの設定をオフとし、前記管理装置は、前記周波数特性の第１の設定情報を、前記通信回線を介して前記無線中継器へ送信し、前記無線中継器は、前記管理装置から受信した前記第１の設定情報を前記中継イコライザの設定に反映し、前記第１の無線端末は、前記第２の無線端末宛の第１の無線信号を前記無線中継器へ送信し、前記無線中継器は、前記中継イコライザにおいて、受信した前記第１の無線信号の周波数特性を前記設定に基づいて調整し、前記調整後の第１の無線信号を前記第２の無線端末へ送信する音質調整システムを提供する。
【００１０】
本発明の第３の態様は、イコライザを有し、半二重通信を行う第１及び第２の無線端末のそれぞれにおいて、自己の前記イコライザの設定をオフとするステップと、設定に基づいて前記無線信号の周波数特性の調整を行う中継イコライザを有し、前記第１及び第２の無線端末の間で無線信号を中継する無線中継器と通信回線を介して接続された管理装置において、無線信号の周波数特性の第１の設定情報を、前記通信回線を介して前記無線中継器へ送信するステップと、前記無線中継器において、前記管理装置から受信した前記第１の設定情報を前記中継イコライザの設定に反映するステップと、前記第１の無線端末において、前記第２の無線端末宛の第１の無線信号を前記無線中継器へ送信するステップと、前記無線中継器において、前記中継イコライザにおいて、受信した前記第１の無線信号の周波数特性を前記設定に基づいて調整するステップと、前記調整後の第１の無線信号を前記第２の無線端末へ送信するステップとを有する音質調整方法を提供する。
【発明の効果】
【００１１】
本発明により、無線機の音質評価のための調整作業を容易にし、現地ユーザの言語等によって異なる音質補正をした通信を行うための無線中継器、音質調整システム及び音質調整方法を提供することができる。
【図面の簡単な説明】
【００１２】
【図１】本発明の実施の形態１にかかる音質調整システム１０００の全体構成を示すブロック図である。
【図２】本発明の実施の形態１にかかる無線端末１０Ａの構成を示すブロック図である。
【図３】本発明の実施の形態１にかかる無線中継器２０の構成を示すブロック図である。
【図４】本発明の実施の形態１にかかる管理装置３０の構成を示すブロック図である。
【図５】本発明の実施の形態１にかかる音質調整作業の前処理の流れを説明するためのシーケンス図である。
【図６】本発明の実施の形態１にかかる音質調整システムの音質調整作業のうち工程ｉ’の概念を説明するための図である。
【図７】本発明の実施の形態１にかかる音質調整作業のうち工程ｉ’の流れを説明するためのシーケンス図である。
【図８】本発明の実施の形態１にかかる音質調整システムの音質調整作業のうち工程ｉｉ’の概念を説明するための図である。
【図９】本発明の実施の形態１にかかる音質調整作業のうち工程ｉｉ’の流れを説明するためのシーケンス図である。
【図１０】本発明の実施の形態１にかかる音質調整システムの音質調整作業のうち工程ｉｉｉの概念を説明するための図である。
【図１１】本発明の実施の形態１にかかる音質調整作業のうち工程ｉｉｉの流れを説明するためのシーケンス図である。
【図１２】本発明の実施の形態２にかかる音質調整システム１０００ａの全体構成を示すブロック図である。
【図１３】関連技術にかかる無線通信システム９０００の音質調整作業のうち工程ｉの概念を説明するための図である。
【図１４】関連技術にかかる音質調整作業のうち工程ｉの流れを説明するためのシーケンス図である。
【図１５】関連技術にかかる無線通信システムの音質調整作業のうち工程ｉｉの概念を説明するための図である。
【図１６】関連技術にかかる音質調整作業のうち工程ｉｉの流れを説明するためのシーケンス図である。
【発明を実施するための形態】
【００１３】
以下では、本発明の具体的な実施の形態について、図面を参照しながら詳細に説明する。各図面において、同一要素には同一の符号が付されており、説明の明確化のため、必要に応じて重複説明は省略する。
【００１４】
まず、本発明が解決しようとする課題の別の側面について説明する。図１３は、関連技術にかかる無線通信システム９０００の音質調整作業のうち工程ｉの概念を説明するための図である。また、図１４は、関連技術にかかる音質調整作業のうち工程ｉの流れを説明するためのシーケンス図である。
【００１５】
まず、ユーザＵＡは、無線端末１０Ａのマイクに音声Ａを入力する（Ｓ９１１）。次に、無線端末１０Ａは、音声Ａを送信回路の変調部で音声データＤＡに変調し、無線中継器９０に音声データＤＡを送信する（Ｓ９１２）。無線中継器９０は、受信した音声データＤＡに音質補正係数をかける事なく、無線端末１０Ｂにそのまま送信する事で、中継動作を行う（Ｓ９１３）。無線端末１０Ｂは、音声データＤＡを受信して音声Ａに復調する（Ｓ９１４）。そして無線端末１０Ｂは、ＤＳＰ（Digital Signal Processor）にて音質補正係数Ｂをかける演算処理を行い、音質調整を施した音声Ａ’をスピーカから出力する（Ｓ９１５）。ユーザＵＢは、音声Ａ’を聴く（Ｓ９１６）。以下、この工程を、工程ｉ（Ｓ９１０）とする。
【００１６】
図１５は、関連技術にかかる無線通信システムの音質調整作業のうち工程ｉｉの概念を説明するための図である。また、図１６は、関連技術にかかる音質調整作業のうち工程ｉｉの流れを説明するためのシーケンス図である。
【００１７】
ユーザＵＢは、音声Ａ’を聴いた後、所望する音質であるか否かを判定する（Ｓ９２１）。そして、所望する音質ではなかった場合、ユーザＵＢは、音質調整の改善点などのフィードバックを口頭でエンジニアＤに伝える（Ｓ９２２）。または、ユーザＵＢは、フィードバックを電話などその他の手段で伝えても良い。
【００１８】
エンジニアＤは、フィードバックに基づいて、音質補正係数を変更した新しいＤＳＰのファームウェアを、管理装置３０を用いて作成する（Ｓ９２３及びＳ９２４）。管理装置３０は、新しいＤＳＰファームウェアを無線端末１０Ａ及び１０Ｂへ送信し、無線端末１０Ａ及び１０Ｂのそれぞれは、ＤＳＰファームウェアを、新しいＤＳＰファームウェアに更新する（Ｓ９２５及びＳ９２６）。この工程を、工程ｉｉとする。
【００１９】
その後、工程ｉを再度実施する。所望する音質であった場合（Ｓ９２１でＹＥＳ）、音質調整を終了する（Ｓ９２７）。
【００２０】
しかしながら、上述した工程の場合、エンジニアＤは、現地へ赴く必要があり、コストがかかる。特に、音質調整作業は、工程ｉの繰り返し回数が事前にわからないため、現地での拘束時間の予定が立てづらいといった問題点がある。本発明はこのような問題点を解決するためにもなされたものである。
【００２１】
＜発明の実施の形態１＞
図１は、本発明の実施の形態１にかかる音質調整システム１０００の全体構成を示すブロック図である。音質調整システム１０００は、無線端末１０Ａ及び１０Ｂと、無線中継器２０と、管理装置３０とを備える。無線端末１０Ａは、半二重通信を行うものであり、内部に少なくともイコライザ１１Ａを備える。無線端末１０Ｂも、半二重通信を行うものであり、内部に少なくともイコライザ１１Ｂを備える。
【００２２】
図２は、本発明の実施の形態１にかかる無線端末１０Ａの構成を示すブロック図である。ここでは、代表して無線端末１０Ａについて説明するが、無線端末１０Ｂについても同様である。無線端末１０Ａは、アンテナ１０１と、受信回路１０２と、送信回路１０３と、表示部１０４と、入力装置１０５と、制御回路１０６と、スピーカ１０７と、マイク１０８とを備える。
【００２３】
受信回路１０２は、アンテナ１０１で受信された無線信号、すなわち音声データを復調部１０２１により復調し、制御回路１０６へ復調信号を出力する。送信回路１０３は、制御回路１０６から入力された変調信号を変調部１０３１により搬送信号に変調し、アンテナ１０１から無線信号として発信させる。
【００２４】
表示部１０４は、ＬＣＤ（Liquid Crystal Display）等のディスプレイ装置であり、制御回路１０６からの出力を画面に表示する。入力装置１０５は、例えばテンキー等で実現され、ユーザＵＡからのキー入力を受け付けて、制御回路１０６へ出力する。スピーカ１０７は、制御回路１０６からの受信音声を拡声器により出力する。マイク１０８は、ユーザＵＡからの音声入力を受け付けて、制御回路１０６へ送信音声信号を出力する。
【００２５】
制御回路１０６は、少なくともＤＳＰ１０６１及びメモリ１０６３等を備える。メモリ１０６３は、記憶領域であり、少なくともファームウェア１０６４を記憶する。ファームウェア１０６４は、ＤＳＰ１０６１の制御プログラムである。特に、ファームウェア１０６４には、イコライザ１０６２の音質補正係数の設定が定義されている。尚、ファームウェア１０６４は、設定情報の一例である。
【００２６】
ＤＳＰ１０６１は、ファームウェア１０６４を読み込み実行することにより、無線端末１０Ａの各種制御を行う。ＤＳＰ１０６１は、マイク１０８から入力された送信音声信号をエンコードして変調信号を生成する。また、ＤＳＰ１０６１は、受信回路１０２から入力された復調信号をデコードして受信音声信号を生成する。特に、ＤＳＰ１０６１は、イコライザ１０６２としても動作する。イコライザ１０６２は、ファームウェア１０６４に定義された設定に基づき無線信号の周波数特性の調整を行う。つまり、ＤＳＰ１０６１は、受信回路１０２から入力された復調信号に対して設定された音質補正係数をかける演算処理を行い、スピーカ１０７へ出力する。また、ＤＳＰ１０６１は、マイク１０８から入力された送信音声信号に対して音質補正係数をかけることなく送信回路１０３へ出力してもよい。
【００２７】
図１へ戻り説明を続ける。無線中継器２０は、無線端末１０Ａ及び１０Ｂの間で無線信号を中継する。また、無線中継器２０は、通信回線を介して管理装置３０と接続されている。無線中継器２０は、受信部２１と、中継イコライザ２２と、設定反映部２３と、送信部２４とを備える。
【００２８】
受信部２１は、無線端末１０Ａ又は１０Ｂから無線信号を受信する。中継イコライザ２２は、設定に基づいて無線信号の周波数特性の調整を行う。設定反映部２３は、通信回線を介して受信した周波数特性の設定情報を中継イコライザ２２の設定に反映する。送信部２４は、中継イコライザ２２による調整後の無線信号を、無線端末１０Ａ又は１０Ｂへ送信する。例えば、受信部２１が無線端末１０Ａから無線信号を受信した場合、送信部２４は、調整後の無線信号を無線端末１０Ｂへ送信する。また、送信部２４は、通信回線を介して管理装置３０から受信した指示に応じて、設定情報を無線端末１０Ａ及び１０Ｂへ送信する。
【００２９】
図３は、本発明の実施の形態１にかかる無線中継器２０の構成を示すブロック図である。無線中継器２０は、アンテナ２０１と、受信回路２０２と、送信回路２０３と、アンテナ２０４と、送信回路２０５と、受信回路２０６と、制御回路２０７とを備える。
【００３０】
受信回路２０２は、アンテナ２０１で受信された無線信号を復調部２０２１により復調し、制御回路２０７へ出力する。送信回路２０５は、制御回路２０７から入力された変調信号を変調部２０５１により変調し、アンテナ２０４から無線信号として発信させる。同様に、受信回路２０６は、アンテナ２０４で受信された無線信号を復調部２０６１により復調し、制御回路２０７へ復調信号を出力する。送信回路２０３は、制御回路２０７から入力された変調信号を変調部２０３１により変調し、アンテナ２０４から無線信号として発信させる。
【００３１】
制御回路２０７は、少なくともＤＳＰ２０７１と、メモリ２０７３と、設定反映部２０７５とを備える。また、制御回路２０７は、通信回線であるネットワーク回線ＮＷと接続されている。メモリ２０７３は、記憶領域であり、少なくともファームウェア２０７４を記憶する。ファームウェア２０７４は、ＤＳＰ２０７１の制御プログラムである。特に、ファームウェア２０７４には、中継イコライザ２０７２の音質補正係数の設定が定義されている。尚、ファームウェア２０７４は、設定情報の一例である。
【００３２】
ＤＳＰ２０７１は、ファームウェア２０７４を読み込み実行することにより、無線中継器２０の各種制御を行う。特に、ＤＳＰ２０７１は、中継イコライザ２０７２としても動作する。中継イコライザ２０７２は、ファームウェア２０７４に定義された設定に基づき無線信号の周波数特性の調整を行う。つまり、ＤＳＰ２０７１は、受信回路２０２又は２０６から入力された復調信号に対して設定された音質補正係数をかける演算処理を行い、変調信号として送信回路２０５又は２０３へ出力する。詳細には、ＤＳＰ２０７１は、受信回路２０２又は２０６から入力された復調信号をデコードし、設定された音質補正係数をかける演算処理を行い、エンコードして変調信号として、送信回路２０５又は２０３へ出力する。
【００３３】
設定反映部２０７５は、ネットワーク回線ＮＷを介して管理装置３０から各種情報を受信した場合に、受信した情報に応じた処理を行う。例えば、設定反映部２０７５は、無線中継器２０のファームウェアを管理装置３０から受信した場合、メモリ２０７３にファームウェア２０７４として上書き保存する。また、設定反映部２０７５は、無線端末１０Ａ及び１０Ｂのファームウェアを管理装置３０から受信した場合、送信回路２０３及び送信回路２０５へファームウェアを出力して無線端末１０Ａ及び１０Ｂへ転送させる。
【００３４】
図１へ戻り説明を続ける。管理装置３０は、無線中継器２０と通信回線を介して接続された情報処理装置である。管理装置３０は、エンジニアＤの操作に応じてファームウェアの修正等を行うことができる。また、管理装置３０は、通信回線を介して無線中継器２０とのデータの送受信を行うことができる。特に、管理装置３０は、無線中継器２０用のファームウェアを作成し、通信回線を介して無線中継器２０へ送信する。また、管理装置３０は、無線端末１０Ａ及び１０Ｂ用のファームウェアを作成し、通信回線を介して無線中継器２０へ送信する。
【００３５】
管理装置３０は、無線端末１０Ｂにおける音声出力に応じた評価を受け付ける。例えば、エンジニアＤがユーザＵＢから電話等の口頭で評価を聞いた場合、エンジニアＤが入力装置３０２を介して評価を入力する。これにより、管理装置３０は評価を受け付ける。または、無線端末１０Ｂが評価の入力受け付け及び送信機能を有している場合、管理装置３０は、無線端末１０Ｂから無線中継器２０を経由して通信回線から評価を電子的に受け付けても良い。そして、管理装置３０は、評価に応じて無線中継器２０のファームウェアを修正して更新用のファームウェアを生成する。その後、管理装置３０は、更新用のファームウェアを通信回線を介して無線中継器２０へ送信する。
【００３６】
図４は、本発明の実施の形態１にかかる管理装置３０の構成を示すブロック図である。管理装置３０は、ネットワーク回線ＮＷを介して無線中継器２０と接続されている。管理装置３０は、表示部３０１と、入力装置３０２と、制御部３０３とを備える。表示部３０１は、ＬＣＤ（Liquid Crystal Display）等のディスプレイ装置であり、制御部３０３からの出力を画面に表示する。尚、表示部３０１は、管理装置３０と別構成であってもよい。入力装置３０２は、キーボード等の入力デバイスである。制御部３０３は、ＣＰＵ（Central Processing Unit）等の制御装置である。その他、図示しない構成として記憶装置を備える。記憶装置には、ＯＳ等の制御プログラムが記憶されている。制御部３０３は、記憶装置から制御プログラムを読み込み実行することにより、管理装置３０の各種制御を行う。
【００３７】
図５は、本発明の実施の形態１にかかる音質調整作業の前処理の流れを説明するためのシーケンス図である。前提として、図１３の状態であるものとする。そこで、管理装置３０は、無線端末１０Ａ及び１０Ｂのイコライザの設定をＯＦＦとするための指示を無線中継器２０へ送信する（Ｓ１０１）。次に、無線中継器２０は、受信した無線端末向けの指示を中継する（Ｓ１０２）。すなわち、無線中継器２０は、受信した指示を無線端末１０Ａ及び無線端末１０Ｂへ転送する。そして、無線端末１０Ａ及び１０Ｂは、受信した指示に応じて自己のイコライザの設定をＯＦＦにする（Ｓ１０３及びＳ１０４）。
【００３８】
尚、ステップＳ１０１における「指示」は、無線端末１０Ａ及び１０Ｂ用のイコライザ設定をＯＦＦにしたファームウェアであってもよい。すなわち、このファームウェアでは、音質補正係数が設定されていない。この場合、無線中継器２０は、受信したファームウェアを無線端末１０Ａ及び１０Ｂへ転送する。そして、無線端末１０Ａ及び１０Ｂは、受信したファームウェアをＤＳＰのファームウェアとして更新する。
【００３９】
また、管理装置３０は、無線中継器２０用のファームウェアを無線中継器２０へ送信する（Ｓ１０５）。ここで、無線中継器２０用のファームウェアは、第１の設定情報の一例であり、音質補正係数が所定値に設定されたものである。そして、無線中継器２０は、受信したファームウェアをＤＳＰのファームウェアとして更新する（Ｓ１０６）。すなわち、無線中継器２０は、受信した第１の設定情報を中継イコライザ２０７２に反映する。具体的には、設定反映部２０７５は、受信したファームウェアをファームウェア２０７４としてメモリ２０７３に上書き保存し、ＤＳＰ２０７１は、メモリ２０７３からファームウェア２０７４を読み出し実行する。
【００４０】
尚、ステップＳ１０１〜Ｓ１０４と、ステップＳ１０５及びＳ１０６とは、順序が逆であっても構わない。
【００４１】
図６は、本発明の実施の形態１にかかる音質調整システムの音質調整作業のうち工程ｉ’の概念を説明するための図である。また、図７は、本発明の実施の形態１にかかる音質調整作業のうち工程ｉ’の流れを説明するためのシーケンス図である。
【００４２】
まず、ユーザＵＡは、無線端末１０Ａのマイク１０８に音声Ａを入力する（Ｓ１１１）。次に、無線端末１０Ａは、音声Ａを送信回路１０３の変調部１０３１で音声データＤＡに変調し、無線中継器２０に音声データＤＡを送信する（Ｓ１１２）。すなわち、無線端末１０Ａは、無線端末１０Ｂ宛の無線信号を無線中継器２０へ送信する。
【００４３】
無線中継器２０は、受信した音声データＤＡを受信回路２０２の復調部２０２１により音声Ａに復調する（Ｓ１１３）。そして、無線中継器２０は、復調した音声Ａに対してＤＳＰ２０７１の中継イコライザ２０７２にて音質補正係数Ｂをかける演算処理を行い、音声Ａ’とする（Ｓ１１４）。続いて、無線中継器２０は、音質調整が施された音声Ａ’に対して送信回路２０５の変調部２０５１により音声データＤＡ’に変調し（Ｓ１１５）、無線端末１０Ｂに送信する。すなわち、無線中継器２０は、中継イコライザ２０７２において、受信した無線信号の周波数特性を、設定に基づいて調整し、調整後の無線信号を無線端末１０Ｂへ送信する。
【００４４】
尚、無線中継器２０は、必ずしも音声データを音声に復調して音質調整を行う必要はない。例えば、無線中継器２０は、音声データに対して直接、音質調整をしても構わない。
【００４５】
無線端末１０Ｂは、音声データＤＡ’を受信し、音質補正係数をかけることなく、音声Ａ’に復調して（Ｓ１１６）スピーカから出力する。ユーザＵＢは、音声Ａ’を聴く（Ｓ１１７）。
【００４６】
このように、本実施の形態では、上述した図１３等と比較して、音声Ａに対して音質補正係数Ｂを反映する工程を、無線中継器２０で実施している。また、本実施の形態では、無線端末１０Ｂが音質補正係数を設定せず、受信音声に対して音質補正係数処理を実施しない。
【００４７】
図８は、本発明の実施の形態１にかかる音質調整システムの音質調整作業のうち工程ｉｉ’の概念を説明するための図である。また、図９は、本発明の実施の形態１にかかる音質調整作業のうち工程ｉｉ’の流れを説明するためのシーケンス図である。
【００４８】
ユーザＵＢは、音声Ａ’を聴いた後、所望する音質であるか否かを判定する（Ｓ１２１）。そして、所望する音質ではなかった場合、ユーザＵＢは、無線端末１０Ｂの入力装置１０５から文字を入力し、メッセージデータによるフィードバックを送信する（Ｓ１２２）。言い換えると、無線端末１０Ｂは、ユーザＵＢからの入力に応じて音質の評価を受け付け、受け付けた評価をメッセージデータとして無線中継器２０へ送信する。無線中継器２０は、無線端末１０Ｂから受信した評価をネットワーク回線ＮＷを介して管理装置３０へ転送する。
【００４９】
管理装置３０は、ネットワーク回線ＮＷを介して、無線中継器２０からメッセージデータを受信し、表示部３０１に評価を表示する。エンジニアＤは、表示部３０１に表示された内容から、ユーザＵＢから音質に対する評価のフィードバックを得る。尚、エンジニアＤは、電話やＥ−ｍａｉｌ、その他の手段でユーザＵＢからフィードバックを得ても良い。また、エンジニアＤは、管理装置３０にて、音声Ａもしくは音声Ａ’又はその両方を試聴でできても良い。この場合、無線中継器２０は、無線端末１０Ａから受信した音声Ａ及び音質調整した音声Ａ’をネットワーク回線ＮＷを介して管理装置３０へも送信し、管理装置３０は、受信した音声Ａ及び音声Ａ’スピーカ等により出力すればよい。
【００５０】
エンジニアＤは、フィードバックに基づいて、音質補正係数を変更した新しいＤＳＰのファームウェアを、管理装置３０を用いて作成する（Ｓ１２３及びＳ１２４）。言い換えると、管理装置３０は、エンジニアＤの入力に応じて、音質補正係数を変更して無線中継器２０用のＤＳＰファームウェアを生成する。管理装置３０は、ネットワーク回線ＮＷを介して無線中継器２０へ新しいＤＳＰファームウェアを送信する。無線中継器２０は、受信した新しいＤＳＰファームウェアをメモリ２０７３に上書き保存して、更新する（Ｓ１２５）。これにより、新しい音質補正係数に変更される。この工程を、工程ｉｉ’とする。尚、この新しいＤＳＰファームウェアは、第２の設定情報の一例である。
【００５１】
その後、工程ｉ’及び工程ｉｉ’を繰り返す。また、工程ｉ’及び工程ｉｉ’は、一回だけでも、何回繰り返しても良い。所望する音質であった場合（Ｓ１２１でＹＥＳ）、工程ｉｉｉ（Ｓ１３０）へ進む。
【００５２】
図１０は、本発明の実施の形態１にかかる音質調整システムの音質調整作業のうち工程ｉｉｉの概念を説明するための図である。また、図１１は、本発明の実施の形態１にかかる音質調整作業のうち工程ｉｉｉの流れを説明するためのシーケンス図である。エンジニアＤは、無線中継器２０のＤＳＰファームウェアの音質補正係数を、無線端末１０Ａ及び１０Ｂ用に設定したＤＳＰファームウェアを、管理装置３０を用いて作成する（Ｓ１３１及びＳ１３２）。言い換えると、管理装置３０は、エンジニアＤの入力に応じて、音質補正係数を既に調整した無線中継器２０用のものに変更して無線端末１０Ａ及び１０Ｂ用のＤＳＰファームウェアを生成する。そして、管理装置３０は、新しい音質補正係数が設定された無線端末１０Ａ及び１０Ｂ用のＤＳＰファームウェアを、ネットワーク回線ＮＷを介して無線中継器２０へ送信する。尚、この新しい音質補正係数が設定された無線端末１０Ａ及び１０Ｂ用のＤＳＰファームウェアは、第３の設定情報の一例である。
【００５３】
無線中継器２０は、受信した無線端末１０Ａ及び１０Ｂ用のＤＳＰファームウェアを中継して無線端末１０Ａ及び１０Ｂのそれぞれに転送する（Ｓ１３３）。無線端末１０Ａ及び１０Ｂのそれぞれは、ＤＳＰファームウェアを、新しいＤＳＰファームウェアに更新する（Ｓ１３４及びＳ１３５）。これにより、無線端末１０Ａ及び１０Ｂのそれぞれは、適切な音質補正係数が設定された新しいＤＳＰファームウェアに更新され、適切な音質調整が反映される。
【００５４】
また、エンジニアＤは、音質補正係数を持たない無線中継器２０用のＤＳＰファームウェアを、管理装置３０を用いて作成する（Ｓ１３６及びＳ１３７）。言い換えると、管理装置３０は、エンジニアＤの入力に応じて、音質補正係数の設定をオフにした無線中継器２０用のＤＳＰファームウェアを生成する。そして、管理装置３０は、音質補正係数を持たない無線中継器２０用のＤＳＰファームウェアを、ネットワーク回線ＮＷを介して無線中継器２０へ送信する。そして、無線中継器２０は、受信したファームウェアをＤＳＰのファームウェアとして更新する（Ｓ１３８）。この工程を工程ｉｉｉとする。
【００５５】
このように、本実施の形態では、上述した図１５等の工程ｉｉと比較して、無線中継器２０を介したメッセージデータによるフィードバックの送信と、遠隔地からの無線中継器２０のＤＳＰファーム更新によって、無線中継器２０のイコライザの音質補正係数を変更して、音質を調整する事ができる。そのため、エンジニアＤが現場に行かなくとも、現場にいるユーザＵＢのフィードバックに合わせた音質変更が実施できる。また、無線端末１０Ａ及び１０Ｂのそれぞれのファームウェアを都度差替える必要がなく、煩雑さが軽減できる。
【００５６】
尚、無線端末１０Ａと無線端末１０Ｂの間は、無線中継器を複数台、経由しても構わない。その場合、複数の無線中継器のうち少なくとも１台において音質補正係数を設定したファームウェアに置き換えて音質調整を行えばよい。
【００５７】
＜発明の実施の形態２＞
本発明の実施の形態２は、上述した実施の形態１の改良例である。すなわち、前記無線中継器は、前記第１の無線信号を受信した際に、前記第１の無線端末及び前記第２の無線端末が特定のグループに属するか否かを判定する判定部をさらに備え、前記特定のグループに属すると判定された場合に前記中継イコライザにより前記調整を行う。これにより、実施の形態１にかかる音質調整を実施中でも他のグループに属する無線端末間の中継を継続でき、他のグループの通常運用を妨げることなく、特定のグループの音質調整を行うことができる。
【００５８】
図１２は、本発明の実施の形態２にかかる音質調整システム１０００ａの全体構成を示すブロック図である。音質調整システム１０００ａは、特定のグループＧＡＢに属する無線端末１０Ａ及び１０Ｂと、他のグループＧＣＤに属する無線端末１０Ｃ及び１０Ｄと、無線中継器２０ａと、管理装置３０とを備える。
【００５９】
無線中継器２０ａは、特定のグループＧＡＢに属する無線端末１０Ａ及び１０Ｂの間の無線通信を中継し、また、これと独立して、他のグループＧＣＤに属する無線端末１０Ｃ及び１０Ｄの間の無線通信を中継する。無線中継器２０ａは、上述した無線中継器２０の構成に加えて、判定部２５をさらに備える。判定部２５は、受信部２１が無線端末１０Ａからの無線信号を受信した際に、無線端末１０Ａと宛先の無線端末１０Ｂとが特定のグループＧＡＢに属するか否かを判定する。そして、中継イコライザ２２は、判定部２５により、無線端末１０Ａと宛先の無線端末１０Ｂとが特定のグループＧＡＢに属すると判定された場合に、設定に基づき無線信号の周波数特性の調整を行う。
【００６０】
また、無線中継器２０ａは、中継イコライザ２２の設定をグループ毎に備えていてもよく、グループ毎に異なる調整を行ったり、ユーザの言語等によりグループ化し、グループ毎に異なる調整された結果を反映してもよい。
【００６１】
＜その他の発明の実施の形態＞
以上、本発明を上記実施の形態に即して説明したが、本発明は上記実施の形態の構成にのみ限定されるものではなく、本願特許請求の範囲の請求項の発明の範囲内で当業者であればなし得る各種変形、修正、組み合わせを含むことは勿論である。
【００６２】
また、上述の通信装置の任意の処理は、CPU（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、CD-ROM（Read Only Memory）、CD-R、CD-R/W、半導体メモリ（例えば、マスクROM、PROM（Programmable ROM）、EPROM（Erasable PROM）、フラッシュROM、RAM（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６３】
また、コンピュータが上述の実施の形態の機能を実現するプログラムを実行することにより、上述の実施の形態の機能が実現される場合だけでなく、このプログラムが、コンピュータ上で稼動しているOS（Operating System）もしくはアプリケーションソフトウェアと共同して、上述の実施の形態の機能を実現する場合も、本発明の実施の形態に含まれる。さらに、このプログラムの処理の全てもしくは一部がコンピュータに挿入された機能拡張ボードやコンピュータに接続された機能拡張ユニットによって行われて、上述の実施の形態の機能が実現される場合も、本発明の実施の形態に含まれる。
【符号の説明】
【００６４】
１０００  無線通信システム
１０Ａ  無線端末
１０Ｂ  無線端末
１１Ａ  イコライザ
１１Ｂ  イコライザ
２０  無線中継器
２１  受信部
２２  中継イコライザ
２３  設定反映部
２４  送信部
２５  判定部
３０  管理装置
【図１】
2018182438.tif 000003
【図２】
2018182438.tif 000004
【図３】
2018182438.tif 000005
【図４】
2018182438.tif 000006
【図５】
2018182438.tif 000007
【図６】
2018182438.tif 000008
【図７】
2018182438.tif 000009
【図８】
2018182438.tif 000010
【図９】
2018182438.tif 000011
【図１０】
2018182438.tif 000012
【図１１】
2018182438.tif 000013
【図１２】
2018182438.tif 000014
【図１３】
2018182438.tif 000015
【図１４】
2018182438.tif 000016
【図１５】
2018182438.tif 000017
【図１６】
2018182438.tif 000018